(57)【要約】      （修正有）【課題】防火昇降移動装置を提供する。【解決手段】本考案の防火昇降移動装置１は、少なくとも１つの耐火材料枠体搬送装置１１と、少なくとも１つの耐火材料支持装置１２と、少なくとも１つの駆動装置１３と、少なくとも１つの無停電電源システム１４と、少なくとも１つの位置制御装置１５とを備える。少なくとも１つの駆動装置は少なくとも１つの耐火材料枠体搬送装置を駆動させて少なくとも１つの耐火材料支持装置上で移動させ、且つ少なくとも１つの耐火材料枠体搬送装置に内設される。少なくとも１つの無停電電源システムは少なくとも１つの駆動装置に電気的に接続され、且つ少なくとも１つの耐火材料枠体搬送装置に内設される。少なくとも１つの位置制御装置は少なくとも１つの駆動装置に接続され、少なくとも１つの耐火材料枠体搬送装置の位置の制御を行い、且つ少なくとも１つの耐火材料枠体搬送装置に内設される。【選択図】図１Ａ
0003218616.tif 000002
【実用新案登録請求の範囲】
【請求項１】
少なくとも１つの耐火材料枠体搬送装置と、
少なくとも１つの耐火材料支持装置と、
前記少なくとも１つの耐火材料枠体搬送装置を駆動させて前記少なくとも１つの耐火材料支持装置上で移動させ、且つ前記少なくとも１つの耐火材料枠体搬送装置に内設される少なくとも１つの駆動装置と、
前記少なくとも１つの駆動装置に電気的に接続され、且つ前記少なくとも１つの耐火材料枠体搬送装置に内設される少なくとも１つの無停電電源システムと、
前記少なくとも１つの駆動装置に接続され、前記少なくとも１つの耐火材料枠体搬送装置の位置の制御を行い、且つ前記少なくとも１つの耐火材料枠体搬送装置に内設される少なくとも１つの位置制御装置とを備えることを特徴とする防火昇降移動装置。
【請求項２】
前記耐火材料支持装置は耐火材料支持レール及び／或いは耐火材料懸架ロープを備えることを特徴とする請求項１に記載の防火昇降移動装置。
【請求項３】
前記耐火材料支持レール及び／或いは前記耐火材料懸架ロープは建築物の内部及び／或いは外部に設置されることを特徴とする請求項２に記載の防火昇降移動装置。
【請求項４】
前記耐火材料支持レールは湾曲レール、伸縮レール、及び／或いは組み立てレールを含むことを特徴とする請求項２に記載の防火昇降移動装置。
【請求項５】
前記少なくとも１つの耐火材料枠体搬送装置の外部及び／或いは前記建築物の内部に設置され、前記少なくとも１つの耐火材料枠体搬送装置の外部及び／或いは前記建築物の内部の環境温度の感知を行う少なくとも１つの温度センサ及び／或いは少なくとも１つの火災感知器を更に備えることを特徴とする請求項３に記載の防火昇降移動装置。
【請求項６】
前記少なくとも１つの温度センサまたは前記少なくとも１つの火災感知器は前記少なくとも１つの駆動装置に電気的または非電気的に接続され、前記環境温度に基づいて前記少なくとも１つの駆動装置が前記建築物の少なくとも１つの階層まで駆動されることを特徴とする請求項５に記載の防火昇降移動装置。
【請求項７】
前記少なくとも１つの耐火材料枠体搬送装置に設置されると共に前記少なくとも１つの温度センサまたは前記少なくとも１つの火災感知器に接続され、前記少なくとも１つの温度センサまたは前記少なくとも１つの火災感知器の設定温度に基づいて起動される少なくとも１つの冷却装置を更に備えることを特徴とする請求項５に記載の防火昇降移動装置。
【請求項８】
前記少なくとも１つの耐火材料枠体搬送装置に設置される少なくとも１つの給気フィルター装置を更に備えることを特徴とする請求項１に記載の防火昇降移動装置。
【請求項９】
前記少なくとも１つの給気フィルター装置は少なくとも１つの防毒マスク、少なくとも１つの活性炭マスク、及び／或いは少なくとも１つの酸素供給マスクを含むことを特徴とする請求項８に記載の防火昇降移動装置。
【請求項１０】
前記少なくとも１つの耐火材料枠体搬送装置に設置される少なくとも１つの換気装置を更に備えることを特徴とする請求項１に記載の防火昇降移動装置。
【請求項１１】
前記少なくとも１つの耐火材料枠体搬送装置に内設される少なくとも１つの消火ガス装置を更に備えることを特徴とする請求項１に記載の防火昇降移動装置。
【請求項１２】
カメラ及び救援装置が装設される少なくとも１つの人工知能（Artificial Intelligence、AI）機器設備を更に備え、前記少なくとも１つの人工知能裝置は遠隔操作ドローン及び／或いは遠隔操作地上型を含むロボットことを特徴とする請求項１に記載の防火昇降移動装置。
【請求項１３】
少なくとも１つの駆動装置に接続され、且つ少なくとも１つの耐火材料枠体搬送装置の移動速度の制御に用いられる少なくとも１つの制御装置を更に備えることを特徴とする請求項１に記載の防火昇降移動装置。
【請求項１４】
少なくとも１つの機械式避難装置に接続される少なくとも１つの側部扉を更に備え、前記少なくとも１つの機械式避難装置は階段またはスライダーを有することを特徴とする請求項１に記載の防火昇降移動装置。
【請求項１５】
少なくとも１つの耐火材料枠体搬送装置と、
少なくとも１つの耐火材料支持装置と、
前記少なくとも１つの耐火材料枠体搬送装置を駆動させて前記少なくとも１つの耐火材料支持装置上で移動させ、且つ少なくとも１つの耐火材料枠体に内設される少なくとも１つの駆動装置と、
前記少なくとも１つの駆動装置に電気的に接続され、且つ前記少なくとも１つの耐火材料枠体に内設される少なくとも１つの無停電電源システムと、
前記少なくとも１つの耐火材料枠体搬送装置に内設され、少なくとも１つの信号を発信させる少なくとも１つの第一ワイヤレス制御装置と、
前記少なくとも１つの耐火材料枠体に内設され、且つ前記少なくとも１つの駆動装置に接続され、前記少なくとも１つの信号を受信させて前記少なくとも１つの耐火材料枠体搬送装置の位置の制御を行う少なくとも１つの第二ワイヤレス制御装置とを備えることを特徴とする防火昇降移動装置。
【考案の詳細な説明】
【技術分野】
【０００１】
本考案は、移動装置に関し、更に詳しくは、防火昇降移動装置に関する。
【背景技術】
【０００２】
火災は現在被害の多い災害の一つであり、火災が発生した場合、手の施しようがなくなって即時避難できなくなることもある。
【０００３】
また、火災発生時には、炎の熱によって火傷をしたり、煙によって傷害を負うことがある。高温の炎であれ煙であり、建築物内部で発生した場合、一般的な使用者は防護措置を持たないため即時避難できずに傷害を負ってしまい、最悪の場合死に至ることもあった。
【考案の概要】
【考案が解決しようとする課題】
【０００４】
しかしながら、従来の建築物内の昇降移動設備は、火災発生時に停電すると動かなくなり、使用者が昇降移動設備内に閉じ込められ、火災の高温により昇降移動設備が変形してしまう。
【０００５】
そこで、本考案者は上記の欠点が改善可能と考え、鋭意検討を重ねた結果、合理的設計で上記の課題を効果的に改善する本考案の防火昇降移動装置によって使用者を避難しやすくする提案に到った。
【０００６】
本考案は、以上の従来技術の課題を解決する為になされたものである。即ち、本考案は、防火昇降移動装置を提供することを主目的とする。
【課題を解決するための手段】
【０００７】
上述した課題を解決し、目的を達成するために、本考案のある態様の防火昇降移動装置は、少なくとも１つの耐火材料枠体搬送装置と、少なくとも１つの耐火材料支持装置と、少なくとも１つの駆動装置と、少なくとも１つの無停電電源システムと、少なくとも１つの位置制御装置とを備える。少なくとも１つの駆動装置は少なくとも１つの耐火材料枠体搬送装置を駆動させて少なくとも１つの耐火材料支持装置上で移動させ、且つ少なくとも１つの耐火材料枠体搬送装置に内設される。少なくとも１つの無停電電源システムは少なくとも１つの駆動装置に電気的に接続され、且つ少なくとも１つの耐火材料枠体搬送装置に内設される。少なくとも１つの位置制御装置は少なくとも１つの駆動装置に接続され、少なくとも１つの耐火材料枠体搬送装置の位置の制御を行い、且つ少なくとも１つの耐火材料枠体搬送装置に内設される。
【０００８】
また、本考案の別の態様の防火昇降移動装置は、少なくとも１つの耐火材料枠体搬送装置と、少なくとも１つの耐火材料支持装置と、少なくとも１つの駆動装置と、少なくとも１つの無停電電源システムと、少なくとも１つの第一ワイヤレス制御装置と、少なくとも１つの第二ワイヤレス制御装置とを備える。少なくとも１つの駆動装置は少なくとも１つの耐火材料枠体搬送装置を駆動させて少なくとも１つの耐火材料支持装置上で移動させ、且つ少なくとも１つの耐火材料枠体に内設される。少なくとも１つの無停電電源システムは少なくとも１つの駆動装置に電気的に接続され、且つ少なくとも１つの耐火材料枠体に内設される。少なくとも１つの第一ワイヤレス制御装置は前記少なくとも１つの耐火材料枠体搬送装置に内設され、少なくとも１つの信号を発信させる。少なくとも１つの第二ワイヤレス制御装置は前記少なくとも１つの耐火材料枠体に内設され、且つ前記少なくとも１つの駆動装置に接続され、前記少なくとも１つの信号を受信させて前記少なくとも１つの耐火材料枠体搬送装置の位置の制御を行う。
【考案の効果】
【０００９】
上述したように、本考案に係る防火昇降移動装置は使用者を保護する様々な機能を備え、且つ防火材料で製造され、使用者が高温の炎及び煙によって傷害を負わないようにする。さらに、火災発生時にいち早く周囲の環境の変化を検知し、応対メカニズムを更に起動させ、使用者を災害現場から素早く避難させて保護する。また、本考案は無停電電源システムを有し、火災による停電が発生した場合でも駆動装置への給電を継続させて動作するように維持させる。
【図面の簡単な説明】
【００１０】
【図１Ａ】本考案の防火昇降移動装置の一実施形態を示す傾斜図である。
【図１Ｂ】本考案の防火昇降移動装置の他の実施形態を示す傾斜図である。
【図１Ｃ】本考案の防火昇降移動装置を示す使用概略図である。
【図２Ａ】本考案の防火昇降移動装置（緊急脱出口を含む）を示す概略図である。
【図２Ｂ】本考案の防火昇降移動装置（緊急脱出口を含む）を示す概略図である。
【図２Ｃ】本考案の防火昇降移動装置（緊急脱出口を含む）を示す概略図である。
【図２Ｄ】本考案の防火昇降移動装置（緊急脱出口を含む）を示す概略図である。
【図３Ａ】本考案の防火昇降移動装置（飛行装置を含む）を示す概略図である。
【図３Ｂ】本考案の防火昇降移動装置（飛行装置を含む）を示す概略図である。
【図３Ｃ】本考案の防火昇降移動装置（飛行装置を含む）を示す概略図である。
【図３Ｄ】本考案の防火昇降移動装置（飛行装置を含む）を示す概略図である。
【考案を実施するための形態】
【００１１】
実施例
本考案の実施の形態を添付した図面に基づいて詳細に説明する。なお、本考案は、以下に説明する実施形態に限定されるものではない。
【００１２】
図１Ａは本考案の防火昇降移動装置１の一実施形態を示す傾斜図である。本考案の防火昇降移動装置１は、少なくとも１つの耐火材料枠体搬送装置１１と、少なくとも１つの耐火材料支持装置１２と、少なくとも１つの駆動装置１３と、少なくとも１つの無停電電源システム（Uninterruptible Power System、 UPS）１４と、少なくとも１つの位置制御装置１５とを備える。少なくとも１つの駆動装置１３は少なくとも１つの耐火材料枠体搬送装置１１を駆動させて少なくとも１つの耐火材料支持装置１２上で移動させ、且つ少なくとも１つの耐火材料枠体搬送装置１１に内設される。少なくとも１つの無停電電源システム１４は少なくとも１つの駆動装置１３に電気的に接続され、且つ少なくとも１つの耐火材料枠体搬送装置１１に内設される。少なくとも１つの位置制御装置１５は少なくとも１つの駆動装置１３に接続され、少なくとも１つの耐火材料枠体搬送装置１１の位置の制御を行い、且つ少なくとも１つの耐火材料枠体搬送装置１１に内設される。
【００１３】
また、前記駆動装置及び前記無停電電源システムは前記耐火材料枠体搬送装置の付近に更に設置され、例えば、地面、床板、または天井に設置され、且つ耐火材料枠体により被覆される。図１Ｂは本考案の防火昇降移動装置の他の実施形態を示す傾斜図である。本考案の他の防火昇降移動装置２は、少なくとも１つの耐火材料枠体搬送装置１１と、少なくとも１つの耐火材料支持装置１２と、少なくとも１つの駆動装置１３と、少なくとも１つの無停電電源システム１４と、少なくとも１つの第一ワイヤレス制御装置２４と、少なくとも１つの第二ワイヤレス制御装置２５とを備える。少なくとも１つの駆動装置１３は少なくとも１つの耐火材料枠体搬送装置１１を駆動させて少なくとも１つの耐火材料支持装置１２上で移動させ、且つ少なくとも１つの耐火材料枠体２３に内設される。少なくとも１つの無停電電源システム１４は少なくとも１つの駆動装置１３に電気的に接続され、且つ少なくとも１つの耐火材料枠体２３に内設される。少なくとも１つの第一ワイヤレス制御装置２４は前記少なくとも１つの耐火材料枠体搬送装置１１に内設され、少なくとも１つの信号を発信させる。少なくとも１つの第二ワイヤレス制御装置２５は前記少なくとも１つの耐火材料枠体２３に内設され、且つ前記少なくとも１つの駆動装置１３に接続され、前記少なくとも１つの信号を受信させて前記少なくとも１つの耐火材料枠体搬送装置１１の位置の制御を行う。第一ワイヤレス制御装置２４及び第二ワイヤレス制御装置２５には常用される従来の各種のワイヤレス通信技術が応用されて信号の送受信を行い、これはＲＦ送受信機、ＲＦＩＤ送受信機、遠赤外線送受信機、赤外線送受信機、またはブルートゥース送受信機等を含む。
【００１４】
これにより、本考案は駆動装置１３、無停電電源システム１４、位置制御装置１５等が耐火材料枠体搬送装置１１または耐火材料枠体２３に内設されるため、火災発生時にもこれら前記装置の動作には支障をきたさない。
【００１５】
なお、耐火材料支持装置１２は耐火材料支持レール及び／或いは耐火材料懸架ロープを備え、両者は一緒に設置されるか別々に設置される。耐火材料支持レール及び／或いは耐火材料懸架ロープは建築物の内部及び／或いは外部に設置される。耐火材料支持レールは湾曲レール、伸縮レール、及び／或いは組み立てレールを含む。耐火材料支持レールは建築物の壁面に設置され、或いは懸架または支持方式で設置される。
【００１６】
上述したように、本考案のある実施例では、耐火材料枠体搬送装置１１は、建築物の内部または外部に設置されるエレベーター積載ボックスを備える。使用者の需要に応じて耐火材料支持レールまたは耐火材料懸架ロープが設置され、エレベーター積載ボックスは耐火材料支持レール上で移動し、或いは耐火材料懸架ロープにより移動される。より詳しくは、エレベーター積載ボックスは防火材料であるため、発生火災時には使用者がエレベーター積載ボックス内に進入して高温の炎及び煙を避け、且つエレベーター積載ボックスを制御して迅速に移動させて火災発生地点から遠ざかれるようにする高速緊急避難設備とする。また、エレベーター積載ボックスはかご及び筐体を備え、かごの空間は使用者を収容するために用いられ、筐体は各種電力設備、制御回路、及び機構を収容するために用いられ、炎による燃焼を防止させる。筐体はかごの上方に設置され、一体成形方式で設置されるか別々に設置される。
【００１７】
位置制御装置１５は耐火材料枠体搬送装置１１に内設される有線またはワイヤレスボタンを備えるか、或いはハンドヘルド制御装置として設置され（図１Ｃ参照）、使用者がワイヤレス制御方式で外部から呼び出し、耐火材料枠体搬送装置１１を求められている階層に移動するように制御させる。
【００１８】
防火昇降移動装置１は少なくとも１つの駆動装置１３に接続される少なくとも１つの制御装置１７を更に備え、制御装置１７は少なくとも１つの耐火材料枠体搬送装置１１の移動速度の制御に用いられる。詳しくは、一般的なエレベーターには使用者が速度を制御するための装置が設置されない。本考案には制御装置１７が更に設置され、発生火災時には使用者が少なくとも１つの耐火材料枠体搬送装置１１の移動速度を能動的に制御でき、火災現場からより迅速に避難可能になる。
【００１９】
上述したように、防火昇降移動装置１は少なくとも１つの駆動装置１３に接続される少なくとも１つの位置測定器（図示省略）を備える。少なくとも１つの位置測定器は少なくとも１つの耐火材料枠体搬送装置１１または建築物に設置され、少なくとも１つの耐火材料枠体搬送装置１１の高度の測定に用いられる。より詳しくは、耐火材料枠体搬送装置１１が設定高度に達すると位置測定器が起動され、少なくとも１つの駆動装置１３が制御され、少なくとも１つの耐火材料枠体搬送装置１１の速度も更に制御される。設定高度は人体が落下に耐えられて怪我をしない高度である。換言すれば、位置測定器及び上述の制御装置１７の作用により耐火材料枠体搬送装置１１の降下速度が制御され、使用者が地面に接近する高度（設定高度）に高速に降下し、怪我をせずに避難可能になる。
【００２０】
防火昇降移動装置１は少なくとも１つの監視装置１８を更に備え、耐火材料枠体搬送装置１１及び／或いは少なくとも１つの階層のエレベーターの出入り口の外部に設置され、防火昇降移動装置１１の内部及び／或いは外部の状況を監視して使用者の搭乗の安全を確保させるために用いられる。監視装置１８は遠隔操作可能であり、有線またはワイヤレス方式で設置される。
【００２１】
防火昇降移動装置１は少なくとも１つの温度センサ１６、少なくとも１つの煙感知器、及び／或いは少なくとも１つの火災感知器を更に備え、建築物の内部及び／或いは少なくとも１つの耐火材料枠体搬送装置１１の外部に設置され、建築物の内部の環境温度及び／或いは少なくとも１つの耐火材料枠体搬送装置１１の外部の環境温度の感知に用いられる。少なくとも１つの温度センサ１６、少なくとも１つの煙感知器、及び／或いは少なくとも１つの火災感知器は少なくとも１つの駆動装置１３に電気的または非電気的に接続され、建築物の内部の環境温度及び／或いは少なくとも１つの耐火材料枠体搬送装置１１の外部の環境温度に基づいて少なくとも１つの駆動装置１３を建築物の少なくとも１つの階層の位置まで駆動させる。温度センサ１６、煙感知器、及び火災感知器の内の１つまたは少なくとも２つ以上が設置され、建築物の内部の環境及び／或いは感知少なくとも１つの耐火材料枠体搬送装置１１の外部に炎または煙が発生したか否かの感知に用いられる。建築物の何れかの階層に上述の状況が発生した場合、例えば煙、炎、或いは高温が発生した場合、耐火材料枠体搬送装置１１が前記階層まで自動的に移動し、使用者が耐火材料枠体搬送装置１１内に素早く避難可能になる。よって、耐火材料枠体搬送装置１１が前記階層まで移動する時間を節約できる。また、前記少なくとも１つの温度センサ１６、少なくとも１つの煙感知器及び／或いは少なくとも１つの火災感知器は更に感知情報を消防署に伝送させる。
【００２２】
防火昇降移動装置１は、少なくとも１つの耐火材料枠体搬送装置１１に設置されると共に少なくとも１つの温度センサ１６、少なくとも１つの煙感知器、及び／或いは少なくとも１つの火災感知器に接続される少なくとも１つの冷却装置１９を更に備え、少なくとも１つの温度センサ１６、少なくとも１つの煙感知器、及び／或いは少なくとも１つの火災感知器の設定温度及び／或いは設定ステータスに従って起動される。つまり、少なくとも１つの温度センサ１６、少なくとも１つの煙感知器、及び／或いは少なくとも１つの火災感知器が耐火材料枠体搬送装置１１の外部の温度が高すぎることを感知した場合、例えば、６０℃の設定温度を超えていることを感知した場合、或いは建築物の内部で出火して炎が発生していることを感知した場合、火災の炎が耐火材料枠体搬送装置１１の外部の周囲に延焼している可能性があり、或いは耐火材料枠体搬送装置１１の表面に延焼している可能性がある。このため、冷却装置１９が自動的に起動され、冷却及び／或いは消火を行う。冷却装置１９は消火器、スプリンクラー、またはウォーターボックス等を備える。
【００２３】
また、防火昇降移動装置は、少なくとも１つの耐火材料枠体搬送装置１１に設置される少なくとも１つの換気装置２０を更に備える。換気装置２０はファン及び煙突を備え、煙のブロック、導引、及び／或いは散開に用いられ、煙が耐火材料枠体搬送装置１１の内部に流れ込まないようにする。
【００２４】
なお、冷却することで高温の炎により火傷を負う事態を回避させる以外、防火昇降移動装置１は煙の傷害からの防護にも用いられる。例えば、防火昇降移動装置１は、少なくとも１つの耐火材料枠体搬送装置１１に設置される少なくとも１つの給気フィルター装置（図示省略）を更に備える。給気フィルター装置は少なくとも１つの防毒マスク、少なくとも１つの活性炭マスク、及び／或いは少なくとも１つの酸素供給マスクを含む。
【００２５】
防火昇降移動装置１は、耐火材料枠体搬送装置１１内及び／或いは少なくとも１つの階層のエレベーターの出入り口の外部に設置される少なくとも１つの消火ガス装置（図示省略）を更に備え、温度が高すぎる際に自動的に起動され、炎の延焼を抑制させるために用いられる。消火ガス装置は消火器、二酸化炭素ボンベ等を含む。
【００２６】
防火昇降移動装置１は、カメラ及び救援装置が装設される少なくとも１つの人工知能（Artificial Intelligence、AI）機器設備２６を更に備える。前記少なくとも１つの人工知能裝置２６は、火災発生時には画像を消防署に即時伝送させると共に救援物資を提供し、且つ遠隔操作ドローン及び／或いは遠隔操作地上型ロボットを含む。
【００２７】
防火昇降移動装置１は少なくとも１つの機械式避難装置に接続される少なくとも１つの側部扉（図示省略）を更に備える。前記少なくとも１つの機械式避難装置は階段またはスライダーを含み、使用者はボタンを使用して前記機械式避難装置を制御していつでも使用可能となり、緊急時に更なる選択肢を提供する。
【００２８】
図２Ａ乃至図２Ｄは本考案の防火昇降移動装置（緊急脱出口を含む）を示す概略図である。防火昇降移動装置１は少なくとも１つの緊急脱出口（図示省略）を更に備える。緊急脱出口には脱出シートＳ、避難はしごＬ、または底板Ｂが組み合わせられる設計となる。より詳しくは、上述の冷却、消火ガス、換気等のための装置以外、耐火材料枠体搬送装置１１は底部、側面、または上面等の任意の位置に少なくとも１つの緊急脱出口が設置され、使用者が設定高度に達した後、緊急脱出口から脱出シートＳまたは避難はしごＬを降ろして避難でき、或いは耐火材料枠体搬送装置１１の底板Ｂから降下して避難できる。
【００２９】
図３Ａ乃至図３Ｄは本考案の防火昇降移動装置（飛行装置を含む）を示す概略図である。防火昇降移動装置１は少なくとも１つの支持金具２１及び少なくとも１つの飛行装置２２を更に備える。少なくとも１つの支持金具２１は耐火材料枠体搬送装置１１または建築物の最上階に設置され、飛行装置２２は支持金具２１をスライドや移動のためのレールとし、建築物から遠ざかる方向に飛び出す。より詳しくは、支持金具２１は少なくとも１つの傾斜レールを備え、使用者は飛行装置２２を着用、握持、または装着し、傾斜レールに覆設、固定または可動に連結させる。飛行装置２２を着用、握持、または装着した使用者が支持金具２１の末端までスライド移動すると、飛行装置２２が自動的にトリガされて支持金具２１から脱離された後にゆっくりと降下する。飛行装置２２はグライダーまたはパラシュートを含む。パラシュートを例にすると、パラシュートは支持金具２１から脱離された後に空気の浮力の作用によって自動的に起動される。また、使用者は空気の浮力を利用してトリガされる物体の減速落下システム（図示省略）を装着し、建築物または耐火材料枠体搬送装置１１から直接飛び出して避難するための装備としてもよい。 
【００３０】
以上を総合すると、本考案に係る防火昇降移動装置は使用者を保護するための様々な機能を備え、使用者が高温の炎及び煙による傷害を負わないようにする。また、火災発生時に周囲の環境の変化をいち早く検知し、応対メカニズムを更に起動させ、使用者を火災現場から迅速に避難させて保護する。さらに、本考案は無停電電源システムを有し、火災により停電が起こった場合でも駆動装置への給電を継続させて動作を維持させる。
【００３１】
以上、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００３２】
１  防火昇降移動装置
２  防火昇降移動装置
１１  耐火材料枠体搬送装置
１２  耐火材料支持装置
１３  駆動装置
１４  無停電電源システム
１５  位置制御装置
１６  温度センサ
１７  制御装置
１８  監視装置
１９  冷却装置
２０  換気装置
２１  支持金具
２２  飛行装置
２３  耐火材料枠体
２４  第一ワイヤレス制御装置
２５  第二ワイヤレス制御装置
２６  人工知能機械装置
Ｌ  避難はしご
Ｂ  底板
Ｓ  シート
【図１Ａ】
0003218616.tif 000003
【図１Ｂ】
0003218616.tif 000004
【図１Ｃ】
0003218616.tif 000005
【図２Ａ】
0003218616.tif 000006
【図２Ｂ】
0003218616.tif 000007
【図２Ｃ】
0003218616.tif 000008
【図２Ｄ】
0003218616.tif 000009
【図３Ａ】
0003218616.tif 000010
【図３Ｂ】
0003218616.tif 000011
【図３Ｃ】
0003218616.tif 000012
【図３Ｄ】
0003218616.tif 000013